(57)【特許請求の範囲】
【請求項１】
水産動物受精卵の体外孵化装置であって、前記孵化装置は、孵化箱（１）と、栄養液消
毒装置（２）と、孵化過程で前記孵化箱内の栄養液を循環させるための循環手段（３）と
、前記孵化箱内における栄養液の温度を制御するための温度制御装置（４）と、受精卵と
栄養液を分離させるための濾過手段（５）とを含み、前記濾過手段（５）は、前記孵化箱
の上端に設けられる環状の摺動レール（５１）と、前記摺動レールの内壁に設けられる波
紋状の第一摺動溝（５２）と、前記孵化箱に固定され且つ前記摺動レール内に位置される
環状の基座（５３）と、前記第一摺動溝に対応的に前記基座の外壁に設けられる波紋状の
第二摺動溝（５４）と、前記第一摺動溝と第二摺動溝の間に設けられる濾過網（５５）と
、前記濾過網を動作駆動するための駆動ユニット（５６）とを含み、前記駆動ユニット（
５６）は、前記第二摺動溝の上方に位置され前記基座を外套して設置される回転部材（５
６１）と、前記回転部材に環形に配布され且つ一端が濾過網に接続される複数個の伸縮ロ
ッド群（５６２）と、前記伸縮ロッド群の外側に設けられるボール（５６３）と、前記摺
動レールの上端に設けられる前記ボールを動作させるための環状の固定リング（５６４）
と、前記固定リングにに設けられる前記ボールの動作軌跡を限定するための弧形溝（５６
５）と、前記基座を軸心とするとともに前記伸縮ロッド群に設けられる環状の外ラック（
５６６）と、前記孵化箱に回転自在に対称的に設けられ前記外ラックに噛合される両ギヤ
（５６７）と、前記両ギヤを回転駆動するための第一モータ（５６８）及び第二モータ（
５６９）とを含むことを特徴とする前記水産動物受精卵の体外孵化装置。
【請求項２】
前記孵化箱（１）は、受精卵を配置するための箱体（１１）と、前記箱体の下方に設け
られる栄養液を保存するための保存箱体（１２）と、前記箱体と保存箱体とを接続させる
ための固定架（１３）とを含み、前記循環手段（３）は、前記摺動レールに設けられる複
数個の溢流口（３１）と、前記溢流口の下方に位置され前記箱体の外側を外套して設置さ
れる流経箱（３２）と、前記流経箱の下方に設けられる複数個の出水管（３３）と、前記
出水管の直下方に位置され前記保存箱体の底部に固定設置される衝撃柱（３４）と、前記
箱体と保存箱体とを連通させるための吸引ポンプ（３５）と、前記吸引ポンプに設けられ
る進水管（３６）と、前記吸引ポンプに設けられ前記箱体内に位置される出水桶（３７）
と、前記吸引ポンプの外側を外套して設置され且つ前記箱体の底部に固定される環状の遮
水リング（３８）を含むことを特徴とする請求項１に記載の水産動物受精卵の体外孵化装
置。
【請求項３】
前記溢流口は前記濾過網の最下位置より高く、且つ前記濾過網の最上位置より低く形成
され、前記出水管は隣り合う前記両溢流口の中間に位置されており、前記温度制御装置（
４）は前記進水管の外側に設けられる環状の加熱管（４１）と、前記加熱管を加熱させる
ための加熱手段（４２）と、前記加熱手段を制御するための温度制御手段（４３）とを含
むことを特徴とする請求項２に記載の水産動物受精卵の体外孵化装置。
【請求項４】
前記消毒装置（２）は消毒灯（２１）と、前記消毒灯の灯座（２２）と、前記流経箱の
内壁に設けられる反射膜（２３）とを含むことを特徴とする請求項３に記載の水産動物受
精卵の体外孵化装置。
【発明の詳細な説明】
【技術分野】
【０００１】
本発明は孵化装置に関し、特に水産動物受精卵の体外孵化装置に関する。
【背景技術】
【０００２】
中国などの魚養殖業に適した多種類の魚において、例えば鯉や鮒などのような粘性卵を
うむ魚が多い。従来の粘性卵の孵化は、人工魚巣による孵化や脱粘着式孵化を採用するの
が一般的である。人工魚巣による孵化の場合は、操作が容易であるのに、孵化率が高くな
く、一定の卵損失がある。一方、脱粘着式孵化の場合は、ある程度孵化率を高めたが、魚
卵の粘着解除は厄介な仕事である。特に大量の卵を脱離する場合には、ものすごく大変に
なる。また、操作人員への要求も高く、操作が適当でないと、卵を損傷する。
【発明の概要】
【０００３】
本発明は、従来の技術における欠陥を克服するために、水産動物受精卵の体外孵化装置
を提供する。
【０００４】
上記の目的を実現するために、本発明にかかる水産動物受精卵の体外孵化装置は、孵化箱
と、栄養液消毒装置と、孵化過程で前記孵化箱内の栄養液を循環させるための循環手段と
、前記孵化箱内における栄養液の温度を制御するための温度制御装置と、受精卵と栄養液
を分離させるための濾過手段とを含み、前記濾過手段は、前記孵化箱の上端に設けられる
環状の摺動レールと、前記摺動レールの内壁に設けられる波紋状の第一摺動溝と、前記孵
化箱に固定され且つ前記摺動レール内に位置される環状の基座と、前記第一摺動溝に対応
的に前記基座の外壁に設けられる波紋状の第二摺動溝と、前記第一摺動溝と第二摺動溝の
間に設けられる濾過網と、前記濾過網を動作駆動するための駆動ユニットとを含む。孵化
箱は受精卵を配置し保存する。循環手段の流水孵化により孵化箱内の受精卵を孵化する。
孵化箱内の栄養液は消毒装置を経て、駆動ユニットにより摺動レールにおける第一摺動溝
と基座における第二摺動溝に沿って動作させる濾過網を貫通する。濾過手段は受精卵を孵
化箱内に分離させる。本発明では、温度制御装置により自動的に孵化箱内の栄養液の温度
を制御可能で、高孵化率の温度区間にコントロールする。循環手段により孵化箱内の栄養
液を循環流動させて脱粘着を実施し、受精卵を分散させることにより、受精卵の孵化率を
向上する。さらに、濾過手段により受精卵の孵化箱からの流出を回避する。濾過網を第一
摺動溝と第二摺動溝に設けていて、濾過網の一部分を栄養液内に位置させながらも一部分
を栄養液の上方に位置させ、このようにして、駆動ユニットにより濾過網を回転させると
、栄養液内に位置される濾過網の部分と栄養液外に位置される濾過網の部分を交換させる
ようになる。これにより、濾過網への受精卵の粘着も回避できるし、長期間流水圧力によ
る受精卵の損傷も回避できる。それだけでなく、濾過効果への効果も回避できる。また、
消毒装置を設けて栄養液を消毒することにより、受精卵の孵化率を向上する。
【０００５】
前記駆動ユニットは、前記第二摺動溝の上方に位置され前記基座を外套して設置される回
転部材と、前記回転部材に環形に配布され且つ一端が濾過網に接続される複数個の伸縮ロ
ッド群と、前記伸縮ロッド群の外側に設けられるボールと、前記摺動レールの上端に設け
られる前記ボールを動作させるための環状の固定リングと、前記固定リングにに設けられ
る前記ボールの動作軌跡を限定するための弧形溝と、前記基座を軸心とするとともに前記
伸縮ロッド群に設けられる環状の外ラックと、前記孵化箱に回転自在に対称的に設けられ
前記外ラックに噛合される両ギヤと、前記両ギヤを回転駆動するための第一モータ及び第
二モータとを含む。第一モータと第二モータが同時に起動すると、両ギヤを同一方向に回
転駆動させ、電動外ラックを回転させ、よって、外ラックに固定接続された複数個の前記
伸縮ロッド群を回転させ、そして回転部材を回転させて、最終には濾過網を回転駆動させ
る。第一モータと第二モータにより両ギヤを回転駆動させ、外ラックを回転させることに
より、回転がより軽力で済み、且つ動作がより安定になる。前記外ラックが複数個の回転
ロッド群に固定に設けられて回転部材における複数個の伸縮ロッド群を回転させ、且つ前
記伸縮ロッド群の一端が濾過網に接続されるので、濾過網の動作を完成することで、濾過
網の動作を安定させる。
【０００６】
前記孵化箱は、受精卵を配置するための箱体と、前記箱体の下方に設けられる栄養液を保
存するための保存箱体と、前記箱体と保存箱体とを接続させるための固定架とを含む。箱
体により受精卵を孵化する。循環手段により保存箱体内の栄養液を箱体内に注入する。箱
体内の栄養液が消毒装置の処理を経て保存箱体内を流過する。前記温度制御装置が保存箱
体内に位置される。これにより、直接に箱体内の栄養液を直接に消毒や加熱して受精卵の
損傷に至ることを回避できる。
【０００７】
前記循環手段は、前記摺動レールに設けられる複数個の溢流口と、前記溢流口の下方に位
置され前記箱体の外側を外套して設置される流経箱と、前記流経箱の下方に設けられる複
数個の出水管と、前記出水管の直下方に位置され前記保存箱体の底部に固定設置される衝
撃柱と、前記箱体と保存箱体とを連通させるための吸引ポンプと、前記吸引ポンプに設け
られる進水管と、前記吸引ポンプに設けられ前記箱体内に位置される出水桶と、前記吸引
ポンプの外側を外套して設置され且つ前記箱体の底部に固定される環状の遮水リングを含
む。前記消毒装置が流経箱内に位置される。吸引ポンプにより保存箱体内の栄養液を箱体
内に注入する。箱体内の溢流口から濾過網に濾過された余裕な栄養液が溢れ、余裕の栄養
液が流経箱に流入し、流経箱内の消毒装置により消毒処理される。出水管を介して保存箱
体内の衝撃柱へ流入して、最終的に保存箱体内に流入する。吸引ポンプ及び吸引ポンプに
おける進水管を介して保存箱体内の栄養液を吸入して、さらに出水桶を介して栄養液を箱
体内に注入して、箱体内の栄養液と受精卵を下から上へ止まらずにひっくり返して、これ
により受精卵を脱粘着させて、それとともに受精卵を微流動とさせることにより、栄養液
に活性を提供することができ、即ち受精卵の孵化率を向上する。そして、溢流口から余裕
な栄養液を流経箱内に流入させて、流経箱内で消毒処理することにより、避免消毒装置に
よる受精卵への損傷を回避する。栄養液をさらに出水管を介して衝撃柱に衝突させて、栄
養液をそこから散らばて空気と接触させることにより、栄養液の活性を上げる。
【０００８】
前記溢流口は前記濾過網の最下位置より高く、且つ前記濾過網の最上位置より低く形成さ
れる。濾過網の動作過程で、栄養液の内と外に位置されるそれぞれの濾過網の部分を交換
させて、受精卵の自重及び反方向の栄養液の衝撃圧力により、濾過網に粘り付く受精卵を
自分で脱落させることにより、濾過網への長期間粘着による受精卵への損傷を回避する。
【０００９】
前記出水管は隣り合う前記両溢流口の中間に位置されている。こうして、出水管と溢流口
の間の距離を長くする。これにより、消毒の時間を延長するので、消毒の効果がより良く
なる。
【００１０】
前記温度制御装置は前記進水管の外側に設けられる環状の加熱管と、前記加熱管を加熱さ
せるための加熱手段と、前記加熱手段を制御するための温度制御手段とを含む。温度制御
手段により加熱手段のオンオフ制御及び栄養液の温度検測を実行する。前記加熱管は環状
を呈し、進水管の外側に設けられるので、加熱を均一にさせる。
【００１１】
前記消毒装置は消毒灯と、前記消毒灯の灯座と、前記流経箱の内壁に設けられる反射膜と
を含む。灯座により消毒灯のオンオフを制御する。反射膜は消毒灯照射の強度及び全方位
照射を向上するので、消毒の効果を上げる。
【００１２】
本発明は、以下の利点がある。
温度制御装置により自動的に孵化箱内の栄養液の温度を制御可能で、高孵化率の温度区
間にコントロールする。循環手段により孵化箱内の栄養液を循環流動させて脱粘着を実施
し、受精卵を分散させることにより、受精卵の孵化率を向上する。さらに、濾過手段によ
り受精卵の孵化箱からの流出を回避する。濾過網を第一摺動溝と第二摺動溝に設けていて
、濾過網の一部分を栄養液内に位置させながらも一部分を栄養液の上方に位置させ、この
ようにして、駆動ユニットにより濾過網を回転させると、栄養液内に位置される濾過網の
部分と栄養液外に位置される濾過網の部分を交換させるようになる。これにより、濾過網
への受精卵の粘着も回避できるし、長期間流水圧力による受精卵の損傷も回避できる。そ
れだけでなく、濾過効果への効果も回避できる。また、消毒装置を設けて栄養液を消毒す
ることにより、受精卵の孵化率を向上する。
【図面の簡単な説明】
【００１３】
【図１】本発明の構成模式図。
【図２】本発明の断面構成模式図。
【図３】図２のＡにおける拡大図。
【図４】本発明の側面構成模式図。
【図５】本発明の正面模式図。
【図６】図５のＢにおける拡大図。
【図７】本発明の部分構成模式図。
【図８】駆動ユニットの構成模式図。
【図９】摺動レールの構成模式図。
【図１０】濾過網の構成模式図。
【図１１】基座の構成模式図。
【発明を実施するための形態】
【００１４】
本発明の最も重要な特徴を、以下の詳細な説明をより適当に理解できるよう、かつ、当
分野における本発明の貢献がより理解されるよう、概略というよりは要点を述べた。本発
明のその他の特徴は、関連図面ならびに特許請求の範囲とともに以下の本発明の詳細な説
明から、あるいは本発明を実施することにより明らかになるであろう。下記における実施
例は、単に本発明を実施する一部の実施例であり、すべての実施例と理解してはならない
。本発明における実施例に基づいて当業者が創造的な労働を費やさず得られるすべての他
の実施例は、本発明の保護を求める範囲に属すべきである。
【００１５】
図１から１１に示すように、水産動物受精卵の体外孵化装置は、孵化箱１と、栄養液消
毒装置２と、孵化過程で孵化箱内の栄養液を循環させるための循環手段３と、孵化箱内に
おける栄養液の温度を制御するための温度制御装置４と、受精卵と栄養液を分離させるた
めの濾過手段５とを含み、前記濾過手段５は、孵化箱の上端に設けられる環状の摺動レー
ル５１と、摺動レールの内壁に設けられる波紋状の第一摺動溝５２と、孵化箱に固定され
且つ摺動レール内に位置される環状の基座５３と、第一摺動溝に対応的に基座の外壁に設
けられる波紋状の第二摺動溝５４と、第一摺動溝と第二摺動溝の間に設けられる濾過網５
５と、濾過網を動作駆動するための駆動ユニット５６とを含む。孵化箱は受精卵を配置し
保存する。循環手段の流水孵化により孵化箱内の受精卵を孵化する。孵化箱内の栄養液は
消毒装置を経て、駆動ユニットにより摺動レールにおける第一摺動溝と基座における第二
摺動溝に沿って動作させる濾過網を貫通する。濾過手段は受精卵を孵化箱内に分離させる
。
【００１６】
前記駆動ユニット５６は、第二摺動溝の上方に位置され基座を外套して設置される回転部
材５６１と、回転部材に環形に配布され且つ一端が濾過網に接続される複数個の伸縮ロッ
ド群５６２と、伸縮ロッド群の外側に設けられるボール５６３と、摺動レールの上端に設
けられるボールを動作させるための環状の固定リング５６４と、固定リングにに設けられ
るボールの動作軌跡を限定するための弧形溝５６５と、基座を軸心とするとともに伸縮ロ
ッド群に設けられる環状の外ラック５６６と、孵化箱に回転自在に対称的に設けられ外ラ
ックに噛合される両ギヤ５６７と、両ギヤを回転駆動するための第一モータ５６８及び第
二モータ５６９とを含む。第一モータと第二モータが同時に起動すると、両ギヤを同一方
向に回転駆動させ、電動外ラックを回転させ、よって、外ラックに固定接続された複数個
の前記伸縮ロッド群を回転させ、そして回転部材を回転させて、最終には濾過網を回転駆
動させる。
【００１７】
前記孵化箱１は、受精卵を配置するための箱体１１と、箱体の下方に設けられる栄養液を
保存するための保存箱体１２と、箱体と保存箱体とを接続させるための固定架１３とを含
む。
【００１８】
箱体により受精卵を孵化する。循環手段により保存箱体内の栄養液を箱体内に注入する。
箱体内の栄養液が消毒装置の処理を経て保存箱体内を流過する。前記温度制御装置が保存
箱体内に位置される。これにより、直接に箱体内の栄養液を直接に消毒や加熱して受精卵
の損傷に至ることを回避できる。
【００１９】
前記循環手段３は、摺動レールに設けられる複数個の溢流口３１と、溢流口の下方に位置
され箱体の外側を外套して設置される流経箱３２と、流経箱の下方に設けられる複数個の
出水管３３と、出水管の直下方に位置され保存箱体の底部に固定設置される衝撃柱３４と
、箱体と保存箱体とを連通させるための吸引ポンプ３５と、吸引ポンプに設けられる進水
管３６と、吸引ポンプに設けられ箱体内に位置される出水桶３７と、吸引ポンプの外側を
外套して設置され且つ箱体の底部に固定される環状の遮水リング３８を含む。前記消毒装
置は流経箱内に位置される。保存箱体内の栄養液は吸引ポンプにより箱体内に注入される
。濾過網に濾過された余裕な栄養液が箱体内の溢流口から溢れる。余裕の栄養液はさらに
流経箱に流入して、流経箱内の消毒装置により消毒処理され、そして、出水管を介して保
存箱体内の衝撃柱へ流入し、すなわち最終に保存箱体内に流入する。
【００２０】
前記温度制御装置４は進水管の外側に設けられる環状の加熱管４１と、加熱管を加熱する
ための加熱手段４２と、加熱手段を制御するための温度制御手段４３とを含む。温度制御
手段により加熱手段のオンオフを制御する及びに栄養液の温度を検測すること、ならびに
前記加熱管は環状を呈して進水管の外側に設けられることにより、加熱を均一にさせる。
【００２１】
前記消毒装置２は消毒灯２１と、消毒灯の灯座２２と、流経箱の内壁に設けられる反射膜
２３とを含む。灯座は消毒灯のオンオフを制御する。反射膜は消毒灯の照射強度を向上す
るとともに全方位の照射を実施することにより、消毒の効果を向上する。
【００２２】
上述第一モータおよび第二モータは市販されるものとする。
【要約】
自然条件における微小水流の環境模倣、及び栄養液の定温と清潔維持を可能とさせるこ
とにより、水産動物受精卵の体外孵化の存活率を向上する水産動物受精卵の体外孵化装置
を提供する。孵化箱と、栄養液消毒装置と、孵化過程で孵化箱内の栄養液を循環させるた
めの循環手段と、孵化箱内における栄養液の温度を制御するための温度制御装置と、受精
卵と栄養液を分離させるための濾過手段とを含む。濾過手段は波紋状の第一摺動溝及び第
二摺動溝と、第一摺動溝及び第二摺動溝に設けられる濾過網とを備える。前記循環手段は
高さが濾過網の最下位置より高く、濾過網の最上位置より低い溢流口を有する。
【選択図】図１【図１】
0006647504.tif 000002
【図２】
0006647504.tif 000003
【図３】
0006647504.tif 000004
【図４】
0006647504.tif 000005
【図５】
0006647504.tif 000006
【図６】
0006647504.tif 000007
【図７】
0006647504.tif 000008
【図８】
0006647504.tif 000009
【図９】
0006647504.tif 000010
【図１０】
0006647504.tif 000011
【図１１】
0006647504.tif 000012